(57)【特許請求の範囲】
【請求項１】
平行ガイド機構（１）であって、
秤量対象物の荷重を受けるための荷重受部分（１１）と、
固定部分（１２）と
を備え、
前記固定部分（１２）は、
端部（１２１）と、
前記端部（１２１）から前方に延在する延在部分（１２２）と、
前記延在部分（１２２）から前方に延在する取付部分と
を備え、
前記取付部分は、
第１の取付部分（１２３）と、
第２の取付部分（１２４）と
を備え、
前記平行ガイド機構（１）は、さらに、前記荷重受部分（１１）を前記固定部分（１２）に接続する平行ガイド部材（１３１，１３２）を備え、
前記延在部分（１２２）を受け入れるために、前記平行ガイド部材（１３１，１３２）と前記荷重受部分（１１）と前記端部（１２１）との間に収容空間（１４）が形成され、  前記荷重受部分（１１）、前記固定部分（１２）および前記平行ガイド部材（１３１，１３２）は、硬い材料の単一品から一体的に形成され、
前記荷重受部分（１１）の少なくとも一部分を受け入れるために、前記第１の取付部分（１２３）と前記第２の取付部分（１２４）と前記延在部分（１２２）との間に受入空間（１２５）が形成され、
前記荷重受部分（１１）と前記延在部分（１２２）との間に、前記受入空間（１２５）に接続される分割穴（１２２１）が形成された、
平行ガイド機構。
【請求項２】
請求項１に記載の平行ガイド機構であって、
第１の取付面（１２３１）が、前記第１の取付部分（１２３、１２３’）の前面に形成され、
第２の取付面（１２４１）が、前記第２の取付部分（１２４，１２４’）の前面に形成され、
第３の取付面（１１２１）が、前記荷重受部分（１１）の前面に形成され、
前記第１の取付面（１２３１，１２３１’）は、前記第２の取付面（１２４１，１２４１’）と同一平面にあり、
前記第３の取付面（１１２１）は、前記第１の取付面（１２３１，１２３１’）および前記第２の取付面（１２４１，１２４１’）と同一平面にはない
平行ガイド機構。
【請求項３】
請求項２に記載の平行ガイド機構であって、
前記第１の取付部分（１２３’）の前記前面、および、前記第２の取付部分（１２４’）の前記前面は、段形状を有しており、
前記第１の取付面（１２３１’）と前記第２の取付面（１２４１’）とは、前記前面から内側にオフセットされている
平行ガイド機構。
【請求項４】
請求項１ないし請求項３のいずれか一項に記載の平行ガイド機構であって、
前記荷重受部分（１１）は、主部分（１１１）と、前記主部分（１１１）から前方に延在する取付部分（１１２）と、前記主部分（１１１）から上方に延在する接続部分（１１３）と、を備え、
前記取付部分（１１２）の断面積は、前記主部分（１１１）の断面積よりも小さい
平行ガイド機構。
【請求項５】
請求項１ないし請求項４のいずれか一項に記載の平行ガイド機構であって、
前記荷重受部分（１１）は、前記受入空間（１２５）内に全体が配置される
平行ガイド機構。
【請求項６】
請求項１ないし請求項５のいずれか一項に記載の平行ガイド機構であって、
前記平行ガイド部材（１３１，１３２）は、上部平行ガイド部材（１３１）及び下部平行ガイド部材（１３２）を有し、
前記上部平行ガイド部材（１３１）の両端は、第１の溝（１３２１、１３２２）を有し、
前記下部平行ガイド部材（１３２）の両端は、第２の溝（１３１１、１３２２）を有し、
前記溝（１３２１，１３２２）の各々は、円弧形状または四角形状を有している
平行ガイド機構。
【請求項７】
請求項１ないし請求項６のいずれか一項に記載の平行ガイド機構であって、
前記端部（１２１）の近傍における前記平行ガイド部材（１３１，１３２）の幅は、前記荷重受部分（１１）の近傍における幅よりも大きい
平行ガイド機構。
【請求項８】
請求項６または請求項７に記載の平行ガイド機構であって、
第１の開口部（１３２３、１３２４）が、前記第１の溝（１３２１、１３２２）の少なくとも１つを２つの部分に分割していることと、
第２の開口部（１３２３、１３２４）が、前記第２の溝（１３２１、１３２２）の少なくとも１つを２つの部分に分割していることと
のうちの少なくとも一方を満たす
平行ガイド機構。
【請求項９】
秤量モジュール（１００）であって、
レバー（２）と、
請求項１ないし請求項８のいずれか一項に記載の平行ガイド機構（１）と、
前記平行ガイド機構（１）の前記荷重受部分（１１）を前記レバー（２）に接続する力伝達部材（３）と、
前記第１の取付部分（１２３，１２３’）および前記第２の取付部分（１２４，１２４’）を前記レバー（２）に接続する少なくとも２つの支点部材（４１，４２）と
を備える秤量モジュール。
【請求項１０】
請求項９に記載の秤量モジュールであって、
前記レバー（２）は、対称フレーム構造である
秤量モジュール。
【請求項１１】
請求項９または請求項１０に記載の秤量モジュールであって、
前記レバー（２）は、主部分（２２）と、内部較正支持部材（２１，２１’）と、を備え、
前記主部分（２２）および前記内部較正支持部材（２１）は、硬い材料の単一品から一体的に形成されるか、または、前記内部較正支持部材（２１’）は、前記荷重受部分（１１）に接続されている
秤量モジュール。
【請求項１２】
請求項９ないし請求項１１のいずれか一項に記載の秤量モジュールであって、
前記内部較正支持部材（２１，２１’）上に配置され得る、較正分銅（６）を有する較正駆動部材（７）をさらに備える
秤量モジュール。
【請求項１３】
請求項９ないし請求項１２のいずれか一項に記載の秤量モジュールを備える電子天秤。
【発明の詳細な説明】
【技術分野】
【０００１】
［0001］本発明は、平行ガイド機構を有する秤量モジュールに関し、特に、電子天秤で使用される秤量モジュールに関する。
【背景技術】
【０００２】
［0002］電子天秤で使用される本秤量モジュールは、主に、電磁力補償の原理に基づいている。それは、多数のダイカスト部品および他の機械部品のアセンブリからなる。製造技術は成熟しているものの、技術改善の発展に関して、電子天秤で使用される秤量モジュールについての要求（例えば、より小さい、より正確な、より広い秤量範囲、より低コスト、より簡単な組み立てえなど）を提案することが求められている。結果として、多数のダイカスト部品および他の機械部品によって組み立てられる従来の秤量モジュールは、大きな容積、多数の構成部品、複雑な組み立て、大きな組み立て公差、不安定な品質に起因して、技術発展によって制限される（以下、全体アセンブリタイプ秤量モジュールと呼ぶ）
【０００３】
［0003］米国特許第６，８８６，４１８号、ドイツ国実用新案第２０００７７８１号、または、米国特許出願公開第２０１１１０３１５４５８号に開示されるような高度に統合された単一品の秤量モジュールを製造する製造者が存在している。荷重受部分、レバー、固定部分および平行ガイド部材などの主要構造は、狭いワイヤ切断溝またはＣＮＣ加工の溝によって分離される。しかしながら、そのプロセスは、複雑であり、不良品発生率が高く、加工コストは比較的高い。また、いくつかの製造者は、半統合型秤量モジュールを製造しており、このタイプの秤量モジュールは、例えば、米国特許第６，４７２，６１８号に開示されている。荷重受部分、固定部分および平行ガイド部材などの主要構造は、機械加工によって形成された統合構造であるが、構造レイアウトは合理的ではない。なぜなら、組み立てが不便であり、１つの単一レバーで大きなレバー比を達成することが困難であるからである。
【０００４】
［0004］電子天秤用のある種の平行ガイド機構は、荷重受部分と、端部と、荷重受部分を端部に接続する平行ガイド部材と、を備えている。荷重受部分、端部および平行ガイド部材は、ネジジョイントによって組み立てられる。この種のアセンブリは、組み立てに長時間を要する。
【０００５】
［0005］特開平１１−０５１７５６号は、支持ベースと、レバーと、平行ガイド機構と、を備える秤量モジュールを開示している。平行ガイド機構は、荷重受部分と、固定部分と、平行ガイド部材と、を備えている。荷重受部分と固定部分とは、平行ガイド部材によって、すなわち、上部平行ガイド部材および下部平行ガイド部材によって接続される。平行ガイド機構は、さらに、荷重受部分に取付部材を備えている。取付部材は、上部平行ガイド部材と下部平行ガイド部材との間に形成された空間の外部に配置される。レバーは、支点機構を形成する力伝達部材によって、荷重受部分の取付部材に接続される。この種の秤量モジュールは、大きな容積を占める。取付部材は、ネジジョイントによって端部に取り付けられる。それらを一緒に組み立てるには、長時間を要し、正確性が低下する。
【発明の概要】
【発明が解決しようとする課題】
【０００６】
［0006］これらの欠点を解決するために、本発明は、先行技術の欠陥を克服するために改善された秤量モジュールを提供する。
【課題を解決するための手段】
【０００７】
［0007］本発明は、平行ガイド機構を提供する。この平行ガイド機構は、容積が小さく、コンパクトな構成を有し、製造が容易であり、低コストであり、高性能である。また、本発明は、秤量モジュールを提供する。この秤量モジュールは、容積が小さく、コンパクトな構成を有し、組み立ておよび製造が容易であり、低コストであり、高性能である。
【０００８】
［0008］本発明による平行ガイド機構は、秤量対象物の荷重を受けるための荷重受部分と；端部と、端部から前方に延在する延在部分と、延在部分から前方に延在する取付部分と、を有する固定部分と；荷重受部分を固定部分に接続する平行ガイド部材とを備えている。取付部分は、第１の取付部分と第２の取付部分とを備えている。第１の取付部分と第２の取付部分と延在部分との間に、荷重受部分の少なくとも一部分を受け入れるための受入空間が形成される。平行ガイド部材と荷重受部分と端部との間に、延在部分を受け入れるための収容空間が形成される。平行ガイド部材は、上部平行ガイド部材と下部平行ガイド部材とを備えている。荷重受部分、固定部分および平行ガイド部材は、硬い材料の単一品から一体的に形成される。この構成によって、平行ガイド機構は、コンパクトな構造、大きな強度および剛性、小さな容積、良好な性能、容易な組み立て、単純な加工といった利点を有することができる。
【０００９】
［0009］秤量モジュールは、レバーと、本明細書で説明される平行ガイド機構と、平行ガイド機構の荷重受部分をレバーに接続する力伝達部材と、第１および第２の支持部分をレバーに接続する少なくとも２つの支点部材と、を備えている。荷重受部分、固定部分および平行ガイド部材は、機械加工またはダイカスト鋳造またはダイカスト鋳造と組み合わされた機械加工によって、一体的に形成される。
【００１０】
［0010］第１の支点部材を取り付けるために、第１の取付面が第１の取付部分の前面に形成される。第２の支点部材を取り付けるために、第２の取付面が第２の取付部分の前面に形成される。第１の取付面と第２の取付面とは、同一平面にある。力伝達部材を取り付けるために、第３の取付面が荷重受部分の前面に形成される。第３の取付面と第１の取付面とは、大きなレバー比を達成できるように、同一平面にはない。異なる距離が、様々な秤量範囲に適合され得る。
【００１１】
［0011］荷重受部分は、主部分と、主部分から前方に延在する取付部分と、主部分から上方に延在する接続部分と、を備えている。第３の取付面位置公差および取付部分の断面積は、形状の精度を容易に制御でき、秤量性能を改善することができ、コストが低減されるように、主部分の断面積よりも小さい。
【００１２】
［0012］上部平行ガイド部材および下部平行ガイド部材の両端に溝が構成される。薄い金属シートが、軸受を形成するのと同様の効果を有する。溝の少なくとも１つは、２つの部分に分割される。溝同士の間に形成された薄い金属シートの形状は、２つもしくは１つの四角構造、または、２つもしくは１つの円弧構造であってもよい。円弧形状のスロットは、応力集中の影響を容易に取り除くことができ、良好な特性を有している。四角形状のスロットは、容易に製造することができ、低コストである。
【００１３】
［0013］端部の近傍における上部平行ガイド部材および下部平行ガイド部材の幅は、固定部分の幅と同じである。好ましい実施形態では、この幅は、秤量セルが良好な性能のコーナー荷重を有することができるように、荷重受部分の近傍の幅よりも大きい。
【００１４】
［0014］秤量モジュールのレバーは、収容空間（１４）の外部に配置され、対称フレームであり、良好なバランス特性を有している。レバーは、主部分と内部較正支持部材とを備えており、主部分および内部較正部材は、特に、広い秤量範囲のために、硬い材料の単一品から一体的に形成されており、秤量性能はより優れている。他の実施形態では、内部較正部材は、特に、中程度の秤量範囲、または、狭い秤量範囲を有する秤量モジュールのために、秤量モジュールがより低コストとなることができるとともにより優れた性能を提供するように、荷重受部分に接続される。
【００１５】
［0015］力伝達部材が力伝達部分としてのレバーに荷重受部分を接続する。
【００１６】
［0016］支点部材が、レバーの支持点として、第１の取付部分をレバーに、第２の取付部分をレバーにそれぞれ接続する。支点部材は、第１の取付部分をレバーに接続する第１の支点部材と、第２の取付部分をレバーに接続する第２の支点部材と、を備えている。第１の支点部材は、力伝達部材の一方側に配置され、第２の支点部材は、力伝達部材の他方側に配置される。好ましい実施形態では、第１の支点部材および第２の支点部材は、力伝達部材に沿って対称に配置される。
【００１７】
［0017］本発明は、さらに、上述した秤量モジュールを備える電子天秤を提供する。
【００１８】
［0018］本発明によって提供される秤量モジュールおよび電子天秤は、次の利点を有している。本発明は、全体アセンブリタイプ秤量モジュールと、高度に統合された単一品の秤量モジュールと、の間の新規の秤量モジュールを提供する。この秤量モジュールは、簡単で合理的な構造、よりコンパクトな容積、便利な組み立て、電子的なコスト、および、より良好な性能という利点を有している。
【００１９】
［0019］秤量モジュールは、一体型平行ガイド機構と、一体型平行ガイド機構を取り囲むフレームを有するレバーと、を備えている。一体型平行ガイド機構は、荷重受部分と、端部と端部を取付部分に接続する延在部分とを有する固定部分と、を備えている。取付部分は、第１の取付部分と、第２の取付部分と、を備えている。一体型平行ガイド機構は、さらに、荷重受部分を固定部分に接続する平行ガイド部材を備えている。荷重受部分は、荷重受部分に対して移動可能であり、第１の取付部分と第２の取付部分との間の受入空間内に受け入れられる。
【００２０】
［0020］本発明の他の目的、利点および新規の特徴が、添付図面とともに行われる次の詳細な説明からいっそう明らかになるであろう。
【００２１】
［0021］本発明による保持容器の詳細が、図面に例示される実施形態の説明から明らかになるであろう。
【図面の簡単な説明】
【００２２】
【図１】秤量モジュールの分解組立図を示す図である。
【図２】平行ガイド機構の部分図を示す図である。
【図３】図２の線Ａ−Ａの断面図である。
【図４】他の実施形態による平行ガイド機構の部分図を示す図である。
【図５】レバーの斜視図である。
【図６】他の実施形態による内部較正支持部材の斜視図である。
【発明を実施するための形態】
【００２３】
［0022］本明細書では、相対的な方向が、操作に使用される秤量モジュールに言及される。前方方向は、端部から可動部分への方向として定義され、鉛直方向は、前方方向に直交する方向であって、加えられる荷重に実質的に平行な方向として定義される。鉛直方向における上方方向は、秤量モジュールが設置される地面に近い側の平面から、当該平面と遠い側の平面への方向として定義される。
【００２４】
［0023］図１を参照すると、本発明は秤量モジュール１００に関する。秤量モジュール１００は、平行ガイド機構１と、レバー２と、力伝達部材３と、支点部材４１，４２と、コイル５と、内部較正分銅６と、内部較正駆動部材７と、を備えている。
【００２５】
［0024］図２および図３を参照すると、平行ガイド機構１は、荷重受部分１１と、固定部分１２と、荷重受部分１１を固定部分１２に接続する平行ガイド部材１３１，１３２と、を備えている。荷重受部分１１、固定部分１２および平行ガイド部材１３１，１３２は、秤量モジュール１００が単一構造および小さい容積を有するように、また、容易に組み立てることができ、低コストにすることができ、良好な性能を有することができるように、機械加工もしくはダイカスト鋳造、または、ダイカスト鋳造と組み合わされた機械加工によって一体的に形成されている。
【００２６】
［0025］荷重受部分１１は、主部分１１１と、主部分１１１から前方へ延在する取付部分１１２と、主部分１１１から上方へ延在する接続部分１１３と、を備えている。取付部分１１２の断面積は、第３の取付面１１２１の位置公差および形状の精度を容易に制御できるように、主部分１１１の断面積よりも小さく、秤量性能が改善され得るとともに、コストが低減され得る。
【００２７】
［0026］固定部分１２は、端部１２１と、端部１２１から前方に延在する延在部分１２２と、延在部分１２２から前方に延在する取付部分と、を備えている。取付部分１２３，１２４は、第１の取付部分１２３と、第２の取付部分１２４と、を備えている。受入空間１２５が、第１の取付部分１２３と第２の取付部分１２４と延在部分１２２との間に形成されている。荷重受部分１１の一部分は、受入空間１２５内に受け入れられる。受入空間１２５は、取付部分１２３，１２４の間にある。荷重受部分１１は、第１の取付部分１２３、第２の取付部分１２４および延在部分１２２から分離されてそれぞれ配置される。荷重受部分１１に荷重が加えられると、荷重受部分１１は、鉛直方向に沿って受入空間１２５内を移動することができる。他の実施形態では、荷重受部分１１は、受入空間１２５内に全体が配置されてもよい。この配置によって、平行ガイド機構は、コンパクトな構造、大きい強度および剛性、小さい容積、良好な性能、容易な組み立て、および、単純な加工といった利点を有することができる。
【００２８】
［0027］第１の支点部材４１を取り付けるために、第１の取付面１２３１が第１の取付部分１２３の前面に形成されている。第２の支点部材４２を取り付けるために、第２の取付面１２４１が第２の取付部分１２４の前面に形成されている。第１の取付面１２３１と第２の取付面１２４１とは、同一平面にある。力伝達部材３を取り付けるために、第３の取付面１１２１が荷重受部分１１の前面に形成されている。第３の取付面１１２１と第１の取付面１２３１とは、大きなレバー比を達成することができるように、同一平面にはない。異なる距離が様々な秤量範囲に適合され得る。
【００２９】
［0028］分割穴１２２１が、延在部分１２２と荷重受部分１１との間に形成されている。分割穴１２２１は、秤量モジュール１００がコンパクトな構造を有することができるように、収容空間１４内に配置されている。好ましい実施形態では、分割穴１２２１は、機械加工によって形成される。
【００３０】
［0029］平行ガイド部材１３１，１３２は、端部１２１を荷重受部分１１に接続し、それらの間に収容空間１４が形成される。延在部分１２２は、統合型モジュール１が小さくなるとともに材料コストが低減されるように、収容空間１４内に配置される。
【００３１】
［0030］平行ガイド部材１３１，１３２は、上部平行ガイド部材１３１と下部平行ガイド部材１３２とを備えている。荷重受部分１１の近傍において、上部平行ガイド部材１３１および／または下部平行ガイド部材１３２の上面および／または下面に溝１３２１が形成されている。端部１２１の近傍において、上部平行ガイド部材１３１および／または下部平行ガイド部材１３２の上面および／または下面に溝１３２２が形成されている。薄い金属シートが、軸受と同様の効果を有しており、それらの溝の間に形成される。溝１３２１，１３２２のうちの少なくとも一方は、２つの部分に分割される。溝１３２１，１３２２の各々は、開口部１３２３，１３２４によって２つの部分に分割される。他の実施形態では、荷重受部分１１の近傍の溝１３２１，１３２２は、２つの部分に分割されていなくてもよい。荷重受部分１１に力が加えられると、平行ガイド構造１３が下方に移動させられる。１３２１の間の薄い金属シート、および、１３２２の間の薄い金属シートは、弾性変形を有している。溝１３２１，１３２２は良好な加工精度を有しているので、コーナー荷重誤差は、僅かな調整のみを必要とする。溝１３２１，１３２２の間に形成された薄い金属シートの形状は、２つもしくは１つの四角構造、または、２つもしくは１つの円弧構造であってもよい。円弧形状の溝は、応力集中の影響を容易に取り除くことができ、良好な特性を有している。四角形状の溝は、容易に製造することができ、低コストである。
【００３２】
［0031］端部１２１の近傍における上部平行ガイド部材１３１および下部平行ガイド部材１３２の幅は、固定部分１２の幅と同じである。好ましい実施形態では、端部１２１の近傍の幅は、平行ガイド機構１がコーナー荷重の良好な性能を有することができるように、荷重受部分１１の近傍の幅よりも大きい。
【００３３】
［0032］図５を参照すると、レバー２は、対称フレームである。レバー２は、良好なバランス特性を有し得る。レバー２は、収容空間１４の外部に配置される。レバー２は、フレーム２２と内部較正支持部材２１とを備えており、フレーム２２および内部較正支持部材２１は、特に、広い秤量範囲のために、一体的に形成され、秤量性能がより良好である。他の実施形態では、図６を参照すると、内部較正支持部材２１’が、特に、中程度の秤量範囲、または、狭い秤量範囲を有する秤量モジュール１００のために、秤量モジュール１００がより低コストとなるとともにより優れた性能を提供することができるように、荷重受部分に接続される。
【００３４】
［0033］力伝達部材３の一端は、第３の取付面１１２１に取り付けられ、他端は、力伝達部分としてのレバー２に取り付けられる。力伝達部材３は、荷重受部分１１をレバー２に接続する。荷重受部分１１上に分銅が配置されると、力が力伝達部材３を介して導かれてレバー２に伝達される。次いで、レバー２は平衡を失う。レバー２の長いアームの増幅によって、レバー２の端部にある光電検出シーム２３が、もとの平衡位置から逸脱し、光電変位センサが、光電検出シーム２３を通る光束変化を検出する。光束変化は、秤量モジュール回路デバイスに送られて、対応する補償電流が生成される。この補償電流は、レバー２の長いアームに取り付けられたコイル５を流れる。コイル５によって一定の電界に補償力（すなわち、釣り合い力）が生成されて、光電検出シーム２３が釣り合い状態に戻される。コイル５を流れる補償電流が測定されて、荷重の実際の重量が決定される。
【００３５】
［0034］この実施形態では、２つの支点部材４１，４２が存在する。支点部材４１，４２は、第１の取付部分１２３および第２の取付部分１２４をレバー２にそれぞれ接続する。支点部材４１，４２は、第１の取付部分１２３をレバー２に接続する第１の支点部材４１と、第２の取付部分１２４をレバー２に接続する第２の支点部材４２と、を備えている。第１の支点部材４１は、力伝達部材３の一方側に配置され、第２の支点部材は、力伝達部材３の他方側に配置される。好ましい実施形態では、第１の支点部材４１および第２の支点部材４２は、力伝達部材３に沿って対称に配置される。
【００３６】
［0035］図４は、本発明の他の実施形態である。違いは、第１の取付部分１２３’の前面および第２の取付部分１２４’の前面が段形状を有していることである。第１の取付面１２３１’および第２の取付面１２４１’は、前面から内側にオフセットされている。第１の支点部材４１の一端は、第１の取付面１２３１’に取り付けられ、他端は、レバー２に取り付けられる。第２の支点部材４２の一端は、第２の取付面１２４１’に取り付けられ、他端は、レバー２に取り付けられる。この構成によって、レバー比を容易に変えて、様々な秤量範囲の要求を満たすことができる。
【００３７】
［0036］本発明は、さらに、電子天秤を提供する。この電子天秤は、構造が簡単で、容積が小さく、組み立てが便利で、コストが経済的であり、信頼性の高い性能を有するように、上述した秤量モジュールを備えている。
【００３８】
［0037］当業者は、本発明の好ましい実施形態の上記の説明が、説明のために用いられており、本発明を限定するためのものではないことを十分に理解することができる。本発明の概説された実施形態の変形形態が、明らかであり、特許請求の範囲に記載された本発明の範囲内にあると捉えられるべきである。
［形態１］
平行ガイド機構（１）であって、
秤量対象物の荷重を受けるための荷重受部分（１１）と、
固定部分（１２）と
を備え、
前記固定部分（１２）は、
端部（１２１）と、
前記端部（１２１）から前方に延在する延在部分（１２２）と、
前記延在部分（１２２）から前方に延在する取付部分と
を備え、
前記取付部分は、
第１の取付部分（１２３）と、
第２の取付部分（１２４）と
を備え、
前記平行ガイド機構（１）は、さらに、前記荷重受部分（１１）を前記固定部分（１２）に接続する平行ガイド部材（１３１，１３２）を備え、
前記延在部分（１２２）を受け入れるために、前記平行ガイド部材（１３１，１３２）と前記荷重受部分（１１）と前記端部（１２１）との間に収容空間（１４）が形成され、  前記荷重受部分（１１）の少なくとも一部分を受け入れるために、前記第１の取付部分（１２３）と前記第２の取付部分（１２４）と前記延在部分（１２２）との間に受入空間（１２５）が形成され、
前記荷重受部分（１１）、前記固定部分（１２）および前記平行ガイド部材（１３１，１３２）は、硬い材料の単一品から一体的に形成された
平行ガイド機構。
［形態２］
形態１に記載の平行ガイド機構であって、
第１の取付面（１２３１）が、前記第１の取付部分（１２３、１２３’）の前面に形成され、
第２の取付面（１２４１）が、前記第２の取付部分（１２４，１２４’）の前面に形成され、
第３の取付面（１１２１）が、前記荷重受部分（１１）の前面に形成され、
前記第１の取付面（１２３１，１２３１’）は、前記第２の取付面（１２４１，１２４１’）と同一平面にあり、
前記第３の取付面（１１２１）は、前記第１の取付面（１２３１，１２３１’）および前記第２の取付面（１２４１，１２４１’）と同一平面にはない
平行ガイド機構。
［形態３］
形態２に記載の平行ガイド機構であって、
前記第１の取付部分（１２３’）の前記前面、および、前記第２の取付部分（１２４’）の前記前面は、段形状を有しており、
前記第１の取付面（１２３１’）と前記第２の取付面（１２４１’）とは、前記前面から内側にオフセットされている
平行ガイド機構。
［形態４］
形態１ないし形態３のいずれか一項に記載の平行ガイド機構であって、
前記荷重受部分（１１）は、主部分（１１１）と、前記主部分（１１１）から前方に延在する取付部分（１１２）と、前記主部分（１１１）から上方に延在する接続部分（１１３）と、を備え、
前記取付部分（１１２）の断面積は、前記主部分（１１１）の断面積よりも小さい
平行ガイド機構。
［形態５］
形態１ないし形態４のいずれか一項に記載の平行ガイド機構であって、
前記荷重受部分（１１）は、前記受入空間（１２５）内に全体が配置される
平行ガイド機構。
［形態６］
形態１ないし形態５のいずれか一項に記載の平行ガイド機構であって、
前記上部平行ガイド部材（１３１）の両端は、第１の溝（１３２１）を有し、
前記下部平行ガイド部材（１３２）の両端は、第２の溝（１３２２）を有し、
前記溝（１３２１，１３２２）の各々は、円弧形状または四角形状を有している
平行ガイド機構。
［形態７］
形態１ないし形態６のいずれか一項に記載の平行ガイド機構であって、
前記端部（１２１）の近傍における前記平行ガイド部材（１３１，１３２）の幅は、前記荷重受部分（１１）の近傍における幅よりも大きい
平行ガイド機構。
［形態８］
形態６または形態７に記載の平行ガイド機構であって、
第１の開口部（１３２３）が、前記第１の溝（１３２１）の少なくとも１つを２つの部分に分割していることと、
第２の開口部（１３２４）が、前記第２の溝（１３２２）の少なくとも１つを２つの部分に分割していることと
のうちの少なくとも一方を満たす
平行ガイド機構。
［形態９］
形態１ないし形態８のいずれか一項に記載の平行ガイド機構であって、
前記荷重受部分（１１）と前記延在部分（１２２）との間に分割穴（１２２１）が形成された
平行ガイド機構。
［形態１０］
形態９に記載の平行ガイド機構であって、
前記分割穴（１２２１）は、前記受入空間（１２５）に接続される
平行ガイド機構。
［形態１１］
秤量モジュール（１００）であって、
レバー（２）と、
形態１ないし形態１０のいずれか一項に記載の平行ガイド機構（１）と、
前記平行ガイド機構（１）の前記荷重受部分（１１）を前記レバー（２）に接続する力伝達部材（３）と、
前記第１の取付部分（１２３，１２３’）および前記第２の取付部分（１２４，１２４’）を前記レバー（２）に接続する少なくとも２つの支点部材（４１，４２）と
を備える秤量モジュール。
［形態１２］
形態１１に記載の秤量モジュールであって、
前記レバー（２）は、対称フレーム構造である
秤量モジュール。
［形態１３］
形態１１または形態１２に記載の秤量モジュールであって、
前記レバー（２）は、主部分（２２）と、内部較正支持部材（２１，２１’）と、を備え、
前記主部分（２２）および前記内部較正支持部材（２１）は、硬い材料の単一品から一体的に形成されるか、または、前記内部較正支持部材（２１’）は、前記荷重受部分（１１）に接続されている
秤量モジュール。
［形態１４］
形態１１ないし形態１３のいずれか一項に記載の秤量モジュールであって、
前記内部較正支持部材（２１，２１’）上に配置され得る、較正分銅（６）を有する較正駆動部材（７）をさらに備える
秤量モジュール。
［形態１５］
形態１１ないし形態１４のいずれか一項に記載の秤量モジュールを備える電子天秤。
【符号の説明】
【００３９】
［0038］
１００…秤量モジュール
１…平行ガイド機構
２…レバー
３…力伝達部材
４１，４２…支点部材
５…コイル
６…較正分銅
７…較正駆動部材
１１…荷重受部分
１２…固定部分
１４…収容空間
２１，２１’…内部較正支持部材
２２…レバー２のフレーム
２３…光電検出シーム（シャッターベーン）
１１１…荷重受部分１１の主部分
１１２…取付部分
１１３…接続部分
１２１…端部
１２２…延在部分
１２３，１２３’…第１の取付部分
１２４，１２４’…第２の取付部分
１２５…受入空間
１１２１…力伝達部材の第３の取付面
１２２１…分割穴
１２３１，１２３１’…第１の支点部材の第１の取付面
１２４１，１２４１’…第２の支点部材の第２の取付面
１３２１…第１の溝
１３２２…第２の溝
１３２３…第１の開口部
１３２４…第２の開口部
【図１】
0006752725.tif 000002
【図２】
0006752725.tif 000003
【図３】
0006752725.tif 000004
【図４】
0006752725.tif 000005
【図５】
0006752725.tif 000006
【図６】
0006752725.tif 000007